【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
遊技盤の遊技領域に装着される役物装置と、該役物装置の下方に位置しかつ遊技者に対して有利となる領域としての入球口と、が設けられた遊技機において、
前記役物装置の片側に、前記遊技盤の盤面上を流れる球が流入可能な流入口と流出可能な流出口とを有する球通路が設けられ、
前記流出口の下流側に、該流出口から流出した球の一部が前記入球口に流れるように連通する低確率通路と、該低確率通路の終端部に球が逆流しないように連通しかつ前記入球口に流れる確率が前記低確率通路より高く設定された高確率通路と、が設けられ、
前記球通路を通して前記流出口から流出する球が前記低確率通路を経由して前記高確率通路に到達すると、その球が上流側である当該低確率通路に向かって逆流し難くしたことを特徴とする遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
この発明は、例えば、パチンコ機（雀球機、アレンジボール機等も含む）等の遊技機（弾球遊技機とも呼ばれることがある）に関する。
【背景技術】
【０００２】
パチンコ機等の遊技機において、特許文献１に示すように、遊技盤にその盤面上を流れる球が流入可能な流入口を有する球通路、例えば、ワープ通路と呼ばれている球通路が設けられたものが知られている。また、このような球通路は、センタ役物と呼ばれている役物装置に設けられているものも知られている。そして、流入口から流入して球通路に流れた球は流出口から流出し、その下流側の球受け棚に落下するように構成されているのが一般的であった。また、球受け棚上には、球を揺動させながら落下させる通路が形成され、その球受け棚の下方（略直下）には、遊技者に対し有利となる領域、例えば、入賞口や始動口等の入球口が設けられている。
【先行技術文献】
【特許文献】
【０００３】
【特許文献１】特開平１１−２１６２３２号公報
【発明の概要】
【発明が解決しようとする課題】
【０００４】
ところで、ワープ通路と呼ばれている球通路においては、その球通路の流入口に流入する球の流入速度や流入姿勢の相異等によって、その球通路の流出口から流出する球の速度が不測に変化して、その球速度が球ごとにまちまちであった。このため、球通路の流出口から流出した球が、例えば入賞口に流入するか否かを判断することは困難であった。
【０００５】
この発明の目的は、前記問題点に鑑み、球通路の流出口から流出した球が遊技者に対し有利となる領域に流入するか否かを的確に予測することが可能な遊技機を提供することにある。
【課題を解決するための手段】
【０００６】
前記目的を達成するために、第１の発明に係る遊技機は、請求項１に記載のとおりの構成を要旨とする。したがって、盤面上を流れる球が流入口から球通路に流入し、球通路を通して流出口から流出する球が低確率通路を経由して高確率通路に到達すると、その球が上流側である低確率通路に向かって逆流し難くすることができる。これによって、球通路の流出口から流出した球が遊技者に対し有利となる領域としての入球口に流入するか否かを的確に予測することが可能となる。
【０００７】
【０００８】
【０００９】
【００１０】
【００１１】
【発明の効果】
【００１２】
この発明によれば、流入口から流入する球の流入速度や流入姿勢の相異等があったとしても、球通路の流出口から流出する球が遊技者に対し有利となる領域としての入球口に流入するか否かを的確に予測することができる。
【図面の簡単な説明】
【００１３】
【図１】この発明の実施の形態１に係る遊技機としてのパチンコ機の遊技盤を示す斜視図である。
【図２】同じく遊技盤を示す正面図である。
【図３】同じく通路構成部材が設けられた役物装置を拡大して示す斜視図である。
【図４】同じく通路構成部材を一部破断して示す斜視図である。
【図５】同じく通路構成部材を示す縦断面図である。
【図６】同じく通路構成部材を示す平面図である。
【図７】同じく球受棚装置を示す斜視図である。
【図８】この発明の実施の形態２に係る通路構成部材に設けた切換部材が第１位置に配置された状態を示す縦断面図である。
【図９】同じく通路構成部材の切換部材が第２位置に配置切換された状態を示す縦断面図である。
【図１０】この発明の他の実施態様の球通路の分岐部を示す説明図である。
【図１１】同じく球通路の分岐部に風車状の振分部材を配設した実施態様を示す説明図である。
【図１２】同じく球通路の分岐部に切換部材を配設した実施態様を示す説明図である。
【発明を実施するための形態】
【００１４】
（実施の形態１）
この発明の実施の形態１を図１〜図６にしたがって説明する。遊技機としてのパチンコ機の所定位置に配置される遊技盤を斜視図で表した図１及び正面で表した図２において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、球発射装置（図示しない）によって発射された球（パチンコ球）を遊技領域１５の上部に案内する球発射通路１４が形成されている。遊技盤１０の遊技領域１５の略中央部には役物装置４０が装着されている。また、遊技盤１０の遊技領域１５には、その役物装置４０の片側（図２に向かって左側）に位置して普通図柄始動用ゲート口２０が設けられている。
【００１５】
また、遊技盤１０の遊技領域１５には、役物装置４０の下方中央部に位置しかつ遊技者に対し有利となる領域としての入球口、この実施の形態１においては可変の始動口２６を備えた入球装置２５が配設されている。また、始動口２６には、開閉部材１８が開閉可能に設けられ、開閉部材１８が開いて始動口２６が拡開されたときには球Ｂが流入し易く、開閉部材１８が閉じて始動口２６が狭くなったときには球Ｂが流入し難くなるように構成されている。また、入球装置２５の始動口２６（入球口）に球Ｂが流入すると、後述する図柄表示装置７５が作動するようになっている。なお、球Ｂがゲート口２０を通過することで、後述する普通図柄表示部７７が作動して普通図柄の抽選が行われる。そして、普通図柄表示部７７の抽選に基づいて、入球装置２５の開閉部材１８が所定時間（例えば、１秒間）開放し、これによって入球装置２５の始動口２６が拡開してその始動口２６に球Ｂが流入し易くなっている。
【００１６】
また、遊技盤１０の遊技領域１５には、その入球装置２５の下方に位置してアタッカ装置３０が装着されている。このアタッカ装置３０には、その略中央部に開閉扉３１によって開閉される大入賞口３２が設けられている。また、遊技盤１０の遊技領域１５には、その最下端に位置しかつアタッカ装置３０の下方においてアウト口３３が形成され、さらに、アタッカ装置３０の左右両側方に位置して装飾用レンズ３６を有するサイド装飾部材３５が配設されている。これらサイド装飾部材３５の所定位置には一般入賞口３７が設けられている。なお、遊技盤１０の遊技領域１５には、その所定箇所に風車器（図示しない）が配設されるとともに、略全域にわたって多数の釘（図示しない）が配設されている。
【００１７】
図２と図３に示すように、役物装置４０は、役物本体４１、通路構成部材５１及び図柄表示装置７５を備えている。役物装置４０の本体部をなす役物本体４１は、複数又は単数の本体構成部材によって形成され、遊技盤１０の略中央部に貫設された役物装着孔の前面開口部の周縁を塞ぐようにして枠状に構成されている。そして、役物本体４１はビス等によって遊技盤１０の盤面（前面）に取り付けられている。役物本体４１の略中央部には、四角形、円形等の開口窓が形成されている。役物本体４１の開口窓の後側には、図柄表示装置７５が装着されている。この図柄表示装置７５の表示部７６の略全域には、特別図柄が変動表示される特別図柄表示領域が設けられている。また、表示部７６の一部には、普通図柄が変動表示される普通図柄表示部７７が設けられている。
【００１８】
役物本体４１の片側（図３に向かって左側）には、ワープ通路を構成する通路構成部材５１が一体状に設けられている。図３〜図６に示すように、通路構成部材５１は、複数又は単数の構成部材によってケース状に構成されており、その一側上部には、遊技盤１０の盤面上を流れる球Ｂが流入可能な流入口５７が開口されるとともに、その内部には流入口５７に一端が連通されて開口する球通路を構成するための通路壁が設けられている。また、通路構成部材５１の下部の所定位置には、球通路を開口させる流出口６６が形成されている。なお、流入口５７と流出口６６との個数は１対１の関係をもって形成されている。
【００１９】
図４〜図６に示すように、球通路には、その流入口５７の近傍において、球Ｂが流下する下向き傾斜状の傾斜部５３が設けられている。この傾斜部５３は、球Ｂの直径寸法よりも２倍程度広い通路幅を有している。そして、傾斜部５３の略中央部から下傾部までの間において、その通路の片側には、球Ｂの直径寸法よりも若干広い孔幅をもちかつ球Ｂが落下可能な落下口５４が開口されている。そして、球通路は、傾斜部５３の落下口５４近傍を分岐部として、高速で球Ｂが流れる高速側通路６０と、その高速側通路６０よりも低速で球Ｂが流れる低速側通路６２とが分岐して設けられている。すなわち、傾斜部５３を流れる球Ｂのうち、約５０パーセントの球Ｂは、落下口５４に落ちることなく通過し、高速で球Ｂが流れる高速側通路６０に流れ、約５０パーセントの球Ｂは、落下口５４に落ちて高速側通路６０よりも低速で球Ｂが流れる低速側通路６２に流れるようになっている。これら高速側通路６０と低速側通路６２は、それぞれ共通の流出口６６に通じている。また、流出口６６は、役物本体４１の一側下部に開口して設けられている（図３参照）。
【００２０】
図４と図５に示すように、高速側通路６０は、傾斜部５３の下傾端に連続しかつ球Ｂを比較的高速で流下案内する直線路６１を有して構成されている。この直線路６１は、球Ｂを落下させて誘導するように上下方向に略直線状に形成されている。そして、傾斜部５３の落下口５４に落ちることなく通過した球Ｂは、高速側通路６０に流れ、その直線路６１を落下状に流れて流出口６６から高速で流出するようになっている。一方、低速側通路６２は、傾斜部５３の落下口５４に連続しかつ高速側通路６０よりも低速で球Ｂを流下案内するために屈曲状に形成されている。この実施の形態１において、低速側通路６２は、球Ｂを屈曲状、蛇行状、Ｓ字状等に流下させる屈曲路６４を有して構成されている。すなわち、低速側通路６２内には屈曲路構成用凸壁６３が設けられ、これによって屈曲路６４が形成されている。そして、傾斜部５３を流れて落下口５４に落下した球Ｂは、低速側通路６２の屈曲路６４に流れてその流速が抑えられながら流出口６６から低速で流出するようになっている。また、この実施の形態１において、屈曲路６４の下流端寄り部分には、球Ｂに接触してその球Ｂの流速を減速させる減速用突部６５が凸設されており、これによって屈曲路６４を通る球Ｂの流速がより一層減速されて流出口６６から流出するようになっている。
【００２１】
また、通路構成部材５１には、高速側通路６０と、低速側通路６２とのうち、少なくとも一方の通路を流れる球Ｂの存在が遊技者に対し視覚によって認識可能な視認部が設けられている。そして、視認部において球Ｂの存在を視認することによって、高速側通路６０と、前記低速側通路６２とのうち、少なくとも一方の通路を流れる球Ｂの存在が遊技者に対し認識可能に構成されている。この実施の形態１において、通路構成部材５１の少なくとも一部、例えば、通路構成部材５１の前面カバー板５５が透明な合成樹脂によって形成され、その前面カバー板５５を通して高速側通路６０、あるいは、低速側通路６２を流れる球Ｂの存在が視認可能となっている。また、前面カバー板５５を含む通路構成部材５１全体を透明な合成樹脂によって形成することで、高速側通路６０並びに低速側通路６２を流れる球Ｂの存在をそれぞれ視認可能としてもよく、前面カバー板５５の一部に視認用のスリット状の貫通孔を形成してもよい。また、高速側通路６０と低速側通路６２とのうち、少なくとも一方の通路を流れる球Ｂの存在をランプや音によって遊技者に対し認識させることも可能である。
【００２２】
高速側通路６０と低速側通路６２との流出口６６の下流側には、遊技者に対し有利となる領域に流れる確率が高く設定された高確率通路９８と、その確率が低く設定された低確率通路９４と、がそれぞれ設けられた球受棚装置８０が配設されている。この実施の形態１において、図に示すように、球受棚装置８０は、役物本体４１の開口窓の下部に段差状に配置された上段ステージ８１と、下段ステージ９０とを主体として構成されている。
【００２３】
上段ステージ８１は、図７に向かって左側から右側に向けて、第１凹部８２、第１凸部８３、第２凹部８４、第２凸部８５及び第３凹部８６が順次に形成されて正面形状で略波形状をなしている。さらに、上段ステージ８１は、その第３凹部８６を除いて後側が高く前側が低い僅かな傾斜をなし、その前端には球Ｂの落下を防止する仕切壁８７が凸設されている。上段ステージ８１の第３凹部８６は、奥側が低く前側が高い傾斜状をなし、その第３凹部８６の奥側（後側）には、奥側通路９５が傾斜状に設けられている。この奥側通路９５は、上段ステージ８１の奥側において、その略中央部に位置する部分まで下傾して延出されている。さらに、奥側通路９５の下傾端に連続してトンネル路９６が形成されている。このトンネル路９６の前端開口部の下部放出口９７は、下段ステージ９０の下方中央部に位置しかつ球受棚装置８０の前板下部の前面に開口している。また、下部放出口９７は球Ｂの直径寸法よりも若干大きい程度の開口寸法を有し、その下部放出口９７の直下に接近して、遊技者に対し有利となる領域としての始動口２６を備えた入球装置２５（始動用入賞器）が配設されている。
【００２４】
すなわち、この実施の形態１において、上段ステージ８１、奥側通路９５及びトンネル路９６によって高確率通路９８が構成されるようになっている。そして、高速側通路６０を流れて流出口６６から高速で流出する球Ｂのうち、多くの球Ｂ（例えば、８０パーセント以上の球Ｂ）が高確率通路９８に流れるように、第１凹部８２、第１凸部８３、第２凹部８４、第２凸部８５及び第３凹部８６の凹凸形状が設定されている。さらに、高確率通路９８の下部放出口９７から放出される球Ｂは、始動口２６が開閉部材１８によって閉じた状態にあるときにもかかわらず高確率（例えば、７０パーセント以上の高確率）で流入するように設定されている。
【００２５】
また、上段ステージ８１の仕切壁８７は、第１凹部８２の略中央部において切り欠かれ、当該部分を第１上段放出口８８としている。さらに、仕切壁８７は第２凹部８４の略中央部においても切り欠かれ、当該部分を第２上段放出口８９としている。そして、低速側通路６２を流れて流出口６６から低速で放出される球Ｂは、上段ステージ８１の第１上段放出口８８あるいは第２上段放出口８９から下段ステージ９０に流れるようになっている。
【００２６】
図７に示すように、下段ステージ９０は、左右両端部が高く中央部が低い湾曲状に形成されるとともに、後側が高く前側が低い僅かな傾斜をなし、その前端には両側部が高く中央部に向けてしだいに低く形成されて球Ｂの落下を許容する凸壁９２が凸設されている。また、下段ステージ９０の略中央部には、球Ｂの直径寸法よりも適宜に広く（例えば、２〜３倍程度広く）かつ平坦状をなす凹部９１が形成されている。そして、下段ステージ９０に落下した球Ｂのうち、一部の球Ｂは、凸壁９２を乗り越えて落下し、その他の球Ｂは下段ステージ９０の凹部９１より落下するようになっている。さらに、凹部９１より落下した球Ｂは、低確率（例えば、３０パーセント以下の低確率）で始動口２６（開閉部材１８によって閉じた状態にある始動口２６）に流入するように設定されている。すなわち、この実施の形態１において、上段ステージ８１の第１上段放出口８８あるいは第２上段放出口８９を経て下段ステージ９０に流れる球Ｂの通路を低確率通路９４としている。
【００２７】
この実施の形態１に係る遊技機としてのパチンコ機は上述したように構成される。したがって、遊技の際、図示しない球発射装置から球発射通路１４に発射された球Ｂ（パチンコ球Ｂ）は、遊技領域１５の上部に打ち出され、多数の釘、風車器１８等に案内されながら遊技領域１５の下部に向けて流れる。遊技領域１５に打ち出された球Ｂのうち、一部の球Ｂはゲート口２０を通過したり、あるいは、入球装置２５の始動口２６、一般入賞口３７等の入球口に流入する。また、これら入球口に流入しなかった多くの球Ｂは遊技領域１５の下部のアウト口３３に流入し、機外に排出される。
【００２８】
球Ｂがゲート口２０を通過すると、その球Ｂがセンサによって検出され、その検出信号が主制御装置（図示しない）に送られる。すると、その信号が図柄表示装置７５に伝達され、その表示部７６の一部に設けられた普通図柄表示部７７の図柄が変動する。そして普通図柄表示部７７には、抽選結果に基づく図柄が表示される。普通図柄表示部７７の図柄が当たり図柄となって表示されると、入球装置２５の始動口２６の開閉部材１８が所定時間（例えば、１秒間）開放して閉じる。入球装置２５の始動口２６に球Ｂが流入すると、その球Ｂがセンサによって検出され、その検出信号が主制御装置に送られる。すると、その信号が図柄表示装置７５に伝達され、これによって表示部７６に表示された図柄が変動し、設定時間後停止する。そして、表示部７６には抽選結果に基づく図柄が表示される。
【００２９】
表示部７６に表示された図柄が「大当たり図柄」、例えば「７・７・７」となって停止した場合、大当たりとなる。すると、アタッカ装置３０の開閉扉３１によって大入賞口３２が開かれる。大入賞口３２に球Ｂが１０個流入するか、あるいは、３０秒経過すると、開閉扉３１によって大入賞口３２が閉じられる。大入賞口３２の開放時において、その大入賞口３２に設けられた特定領域に球Ｂが入ると、開閉扉３１によって大入賞口３２が一旦閉じた後、再び開く。開閉扉３１によって大入賞口３２が所定回数（例えば、最大１６回）開閉を繰り返すことで、大当たり遊技が終了する。
【００３０】
さて、パチンコ遊技の際、遊技領域１５に打ち出された球Ｂのうち、一部の球Ｂは、役物本体４１の一側に配置された流入口５７から傾斜部５３に流入する。傾斜部５３に流入した球Ｂのうち、約５０パーセントの球Ｂは、落下口５４に落ちることなく通過して高速側通路６０に流れ、その直線路６１において落下状に流れて流出口６６から高速で流出する。残る約５０パーセントの球Ｂは落下口５４に落下して低速側通路６２に流れ、その屈曲路６４において流速が抑えられながら流出口６６から低速で流出する。
【００３１】
高速側通路６０を経て流出口６６から高速で流出した球Ｂのうち、多くの球Ｂ（例えば、８０パーセント以上の球）が高確率通路９８に流れ、始動口２６に高確率（例えば、７０パーセント以上の高確率）で流入する。すなわち、流出口６６から高速で流出した球Ｂのうち、多くの球Ｂは、上段ステージ８１の第１凹部８２、第１凸部８３、第２凹部８４、第２凸部８５及び第３凹部８６を順次通過し、奥側通路９５及びトンネル路９６を経て下部放出口９７から放出され、高確率で始動口２６に流入する。
【００３２】
低速側通路６２を経て流出口６６から低速で放出された球Ｂのうち、殆ど全ての球Ｂが低確率通路９４に流れ、始動口２６に低確率（例えば、３０パーセント以下の低確率）で流入する。すなわち、流出口６６から低速で放出された球Ｂのうち、多くの球Ｂは、上段ステージ８１の第１上段放出口８８あるいは第２上段放出口８９から下段ステージ９０に落下する。その後、下段ステージ９０に落下した球Ｂのうち、一部の球Ｂは、凸壁９２を乗り越えて落下し、その他の球Ｂは下段ステージ９０の凹部９１より落下し、低確率で始動口２６に流入する。
【００３３】
前記したように、役物本体４１の一側に配置された流入口５７に流入した球Ｂが球通路の高速側通路６０に流れる場合と、低速側通路６２に流れる場合において、遊技者に有利となる領域、すなわち、この実施の形態１では始動口２６に球Ｂが流入する確率が異なることで、遊技の興趣を高めることができる。しかも、この実施の形態１において、透明な合成樹脂によって形成された通路構成部材５１の前面カバー板５５を通して高速側通路６０、あるいは、低速側通路６２を流れる球Ｂの存在が視認可能となっている。このため、高速側通路６０、あるいは、低速側通路６２を流れる球Ｂの存在を遊技者の視覚によって認識することができ、遊技者に期待感を付与することが可能となる。
【００３４】
（実施の形態２）
次に、この発明の実施の形態２を図８と図９にしたがって説明する。この実施の形態２においては、ワープ通路をなす球通路の流入口５７近傍に設けられた傾斜部５３の落下口５４に対し、その落下口５４を塞ぐ板状の切換部材６８がその一端の軸６９を中心として回動可能に組み付けられている。そして、図８に示すように、切換部材６８が落下口５４を塞ぐ第１位置に配置されているときには球Ｂを高速側通路６０に導くようになっている。また、図９に示すように、切換部材６８が、その軸６９を中心として回動されかつ落下口５４を開く第２位置に配置切換されているときには球Ｂを低速側通路６２に導くようになっている。切換部材６８は、所定の設定条件に基づいて作動する駆動手段としての電動アクチュエータ（例えば、ソレノイド、モータ等）によって、第１位置と第２位置とに配置切換される構成にしてある。
【００３５】
流入口５７の近傍には、球Ｂの通過を検出する検出器６７が設けられ、所定の設定条件下にあるときにのみ、検出器６７による球Ｂの検出信号に基づいて切換部材６８が、所定時間だけ第１位置に配置切り換えされ、それ以外においては球Ｂの検出に係わらず第２位置に配置されるようになっている。すなわち、検出器６７による球Ｂの検出信号はパチンコ機の所定位置に配置されている主制御装置（図示しない）に伝達されるようになっている。そして、遊技状態が特定の遊技状態であるとき、例えば、確率変動の遊技時（大当たり遊技後で再度大当たりとなる確率が高くなるように設定された遊技時）、あるいは、大当たり遊技後、図柄の変動時間が短縮されるように設定された時間短縮の遊技時等には、検出器６７による球Ｂの検出信号に基づいて主制御装置から出力される制御信号によって電動アクチュエータが作動する。これによって、切換部材６８が所定時間（例えば、０．５秒〜１秒程度の間）第１位置に配置切換された後、元の第２位置に配置切換されるようになっている。
【００３６】
また、通常の遊技時、大当たり遊技時等においては、検出器６７によって球Ｂが検出され、その検出信号が主制御装置に伝達されたにも係わらず、切換部材６８が第２位置に配置保持されるようになっている。この実施の形態２のその他の構成は実施の形態１と略同様にして構成されるため、その説明は省略する。
【００３７】
したがって、実施の形態２においては、確率変動の遊技時（あるいは、時間短縮の遊技時）には、流入口５７から流入した球Ｂが検出器６７を通過して検出されることによって、切換部材６８が第１位置に配置切換される。このため、流入口５７から流入した全ての球Ｂが高速側通路６０に導かれ、流出口６６から球Ｂが高速で流出する。これによって、球Ｂが遊技者に対し有利となる流域、例えば、実施の形態１で述べたように、高確率通路９８を経て始動口２６に高確率で流入する。
【００３８】
また、通常の遊技時、大当たり遊技時等においては、流入口５７から流入した球Ｂが検出器６７を通過して検出されるにも係わらず、切換部材６８が第２位置に配置保持される。このため、流入口５７から流入して傾斜部５３を流れる球Ｂのうち、約５０パーセントの球Ｂは落下口５４に落下して低速側通路６２に流れ、その低速側通路６２に導かれて流出口６６から低速で流出する。これによって、球Ｂが低確率通路９４を経て始動口２６に低確率で流入する。このように、実施の形態２においては、所定の設定条件に基づいて作動する電動アクチュエータによって、切換部材６８を第１位置と第２位置とに配置切換することで、流入口５７から流入した球Ｂが遊技者に有利となる領域、すなわち、始動口２６に流入する確率を変化させることができ、遊技の興趣を高めることができる。
【００３９】
また、前記実施の形態２において、傾斜部５３をその上傾端から下傾端にわたって球Ｂの直径寸法と略同じ通路幅に形成し、その下傾端寄りにおいて、落下口５４を通路幅をもって開口してもよい。この場合、切換部材６８が第２位置に配置保持され、落下口５４が開口した状態にあるときには、流入口５７から流入する全ての球Ｂが落下口５４に落下して低速側通路６２に流れて流出口６６から低速で流出する。
【００４０】
なお、この発明は前記実施の形態１及び２に限定するものではない。例えば、前記実施の形態１及び２においては、球通路の流入口５７近傍に設けられた傾斜部５３下傾部寄りに、落下口５４を分岐部として高速側通路６０と低速側通路６２とを分岐状に設けたが、図１０〜図１２に示すようにそれぞれ変更してもよい。すなわち、図１０に示すように、球通路の流入口５７近傍の直線路の下端部に山形状の分岐用凸部５６を有する分岐部を設け、その分岐部から高速側通路６０と低速側通路６２とを分岐して形成してもよい。この場合、流入口５７から流入して直線路に流れる球Ｂを、分岐用凸部５６において約５０パーセントの割合で高速側通路６０と低速側通路６２とに振り分けるように構成することができる。また、図１１に示すように、球通路の流入口５７近傍の直線路の下端部の分岐部に球Ｂの荷重によって回転自在の風車状の振分部材６８Ａを配設してもよい。
【００４１】
また、図１２に示すように、球通路の流入口５７近傍の直線路の下端部の分岐部に切換部材６８Ｂを軸６９Ａを中心として回動可能に配設してもよい。この場合、切換部材６８Ｂを、実施の形態２と略同様にして所定の設定条件に基づいて作動する駆動手段としての電動アクチュエータ（例えば、ソレノイド、モータ等）によって、第１位置と第２位置とに配置切換されるように構成する。そして、切換部材６８Ｂが第１位置（図１２において２点鎖線で示す位置）に配置されたときには、高速側通路６０が開かれ、低速側通路６２が閉じられる。これによって、流入口５７から直線路に流れた全ての球Ｂが高速側通路６０に導かれる。また、切換部材６８Ｂが第２位置（図１２において実線で示す位置）に配置切換されたときには、高速側通路６０が閉じられ、低速側通路６２が開かれる。これによって、流入口５７から直線路に流れた全ての球Ｂが低速側通路６２に導かれる。
【００４２】
また、前記実施の形態１及び２においては、高速側通路６０に導かれて流出口６６から高速で流出する球Ｂのうち、多くの球Ｂ（例えば、８０パーセント以上の球）が球受棚装置８０の高確率通路９８に導かれる。さらに、低速側通路６２に導かれて流出口６６から低速で流出する球Ｂのうち、殆ど全ての球Ｂが球受棚装置８０の低確率通路９４に導かれるように設定される場合を例示したが、これに限定するものではない。例えば、前記とは逆に、高速側通路６０に導かれて流出口６６から高速で流出する球Ｂのうち、多くの球Ｂ（例えば、７０パーセント以上の球）が低確率通路９４に導かれ、低速側通路６２に導かれて流出口６６から低速で流出する球Ｂのうち、多くの球Ｂ（例えば、７０パーセント以上の球）が高確率通路９８に導かれるように設定してもよい。
【００４３】
また、前記実施の形態１及び２においては、役物本体４１の底部に球受棚装置８０が設けられる場合を例示したが、役物本体４１に球受棚装置８０がない役物装置を備えた遊技機であっても採用することができる。この場合、高速側通路並び低速側通路の流出口の下流側近傍に、遊技者に対し有利となる領域（例えば、入賞装置等の入球口を有する特典付与手段）が設けられる。そして、高速側通路を通して流出口から流出する球と、低速側通路を通して流出口から流出する球とのうち、一方の球が他方の球に比べて遊技者に対し有利となる領域に流れる確率が高く設定される。
【符号の説明】
【００４４】
１０  遊技盤
２５  入球装置
２６  始動口（遊技者に対し有利となる領域）
４０  役物装置
４１  役物本体
５１  通路構成部材
５７  流入口
５８  分岐部
６０  高速側通路
６２  低速側通路
６６  流出口
８０  球受棚装置
９４  低確率通路
９８  高確率通路